(57)【要約】【課題】利用者が煩雑な作業を伴うことなく体温を正確に測定する。【解決手段】体温測定デバイス１０が衣類の収納部２２に収納されて構成され、体温測定デバイス１０は、皮膚の温度を測定する体温センサ１２と、体温センサ１２を保持する筐体とを有し、収納部２２は、伸縮性を具備する生地からなる被覆部２３ａ，２３ｂと本体部２１のこれに対向する領域とから構成され、体温測定デバイス１０を、衣類が人体に着用された場合に体温センサ１２が人体に対向する向きで、取り出し可能に収納し、少なくとも一方向の幅が、収納された体温測定デバイス１０の当該方向の幅以下であり、かつ、体温センサ１２に対向する領域に窓部２５を有し、体温センサ１２は、筐体の表面から収納部２２を構成する生地の厚さ以上突出している。【選択図】図３
2019217098.tif 000002
【特許請求の範囲】
【請求項１】
皮膚に直接触れた状態で人体に着用される衣類と、該衣類に装着され、人体の体温を特定するために皮膚の温度を測定するデバイスとを有する体温測定デバイス装着衣類であって、
前記デバイスは、
皮膚の温度を測定する体温センサと、
前記体温センサを保持する筐体とを有し、
前記衣類は、
当該衣類の本体部の一部に、伸縮性を具備する生地からなる被覆部が重ねられた状態で取り付けられ、
前記被覆部と、前記本体部の前記被覆部に対向する領域とで、前記デバイスを取り出し可能に収納する収納部を構成し、
前記収納部は、当該衣類が人体に着用された場合に前記体温センサが人体に対向する向きで前記デバイスを収納し、少なくとも一方向の幅が、収納された前記デバイスの当該方向の幅以下であり、かつ、前記体温センサに対向する領域に第１の窓部を有し、
前記体温センサは、前記筐体の表面から、前記収納部を構成する生地のうち前記衣類が人体に着用された場合に人体側となる生地の厚さ以上突出している、体温測定デバイス装着衣類。
【請求項２】
請求項１に記載の体温測定デバイス装着衣類において、
前記第１の窓部は、前記デバイスを前記収納部に収納するための収納口を兼ねている、体温測定デバイス装着衣類。
【請求項３】
請求項１または請求項２に記載の体温測定デバイス装着衣類において、
前記デバイスは、当該デバイスの外部温度を測定する外部温度センサを有し、
前記外部温度センサは、前記筐体の表面から凹んだ位置に保持されている、体温測定デバイス装着衣類。
【請求項４】
請求項１または請求項２に記載の体温測定デバイス装着衣類において、
前記デバイスは、当該デバイスの外部温度を測定する外部温度センサを有し、
前記収納部は、前記外部温度センサに対向する領域に第２の窓部を有する、体温測定デバイス装着衣類。
【請求項５】
人体の体温を特定するために皮膚の温度を測定する体温センサが筐体に保持されてなるデバイスを装着可能に構成され、皮膚に直接触れた状態で人体に着用される衣類であって、
当該衣類の本体部の一部に、伸縮性を具備する生地からなる被覆部が重ねられた状態で取り付けられ、
前記被覆部と、前記本体部の前記被覆部に対向する領域とで、前記デバイスを取り出し可能に収納する収納部を構成し、
前記収納部は、当該衣類が人体に着用された場合に前記体温センサが人体に対向する向きで前記デバイスを収納し、少なくとも一方向の幅が、収納された前記デバイスの当該方向の幅以下であり、かつ、前記体温センサに対向する領域に窓部を有し、当該収納部を構成する生地のうち前記衣類が人体に着用された場合に人体側となる生地の厚さが、前記体温センサの前記筐体の表面からの高さ以下である、衣類。
【発明の詳細な説明】
【技術分野】
【０００１】
本発明は、人体の体温を測定するための体温測定デバイス装着衣類に関する。
【背景技術】
【０００２】
一般に妊娠のしやすさは、女性のホルモンバランスの変化による基礎体温の変化と密接に関連していることがよく知られている。基礎体温は、毎日一定時刻に測定することが好ましいが、例えば毎朝起床後に、体温計を舌下や脇下に密着させて一定時間安静状態を維持することは、朝のただでさえ時間がない中、余計な時間がとられることになり、精神的なストレスを受けてしまうことになりかねない。
【０００３】
特許文献１には、ブラジャー等の下着に設けられたポケットに収納されることで、就寝中の体温を測定する体温測定装置が開示されている。この体温測定装置は、筐体内に測温素子が内蔵されており、下着に設けられたポケットに収納された状態で測温素子にて体温を測定することになる。そのため、利用者は、体温測定装置を下着のポケットに収納し、その下着を着用して就寝するだけで、煩雑な作業を伴うことなく就寝中にて体温を測定することができる。
【先行技術文献】
【特許文献】
【０００４】
【特許文献１】特開２００５−１６４４０５号公報
【発明の概要】
【発明が解決しようとする課題】
【０００５】
しかしながら、特許文献１に開示されたものにおいては、測温素子が筐体内に内蔵されており、さらに、下着に設けられたポケットに収納された状態で体温を測定することになるため、測温素子が人体に直接接触せず、また、測温素子が下着に触れた場合に摩擦熱が発生し、体温を正確に測定することができないという問題点がある。
【０００６】
また、体温測定装置がポケットに収納される構成であるため、例えば就寝中に寝返りを打つことで体温測定装置がポケット内で移動してしまう場合がある。その場合、所定時間おきにサンプリングされた体温から基礎体温を算出する場合等において、サンプリングされた体温が人体の互いに異なる測定箇所にてサンプリングされたものとなってしまう虞があり、体温は人体の測定箇所で微妙に異なることから、正確な基礎体温を得ることができなくなってしまうという問題点がある。これは、ポケットを、体温測定装置を収納可能な形状とするために体温測定装置の外形よりも大きなものとする必要があることにもよる。
【０００７】
本発明は、上述したような従来の技術が有する問題点に鑑みてなされたものであって、利用者が煩雑な作業を伴うことなく体温を正確に測定することができる体温測定デバイス装着衣類及び衣類を提供することを目的とする。
【課題を解決するための手段】
【０００８】
上記目的を達成するために本発明は、
皮膚に直接触れた状態で人体に着用される衣類と、該衣類に装着され、人体の体温を特定するために皮膚の温度を測定するデバイスとを有する体温測定デバイス装着衣類であって、
前記デバイスは、
皮膚の温度を測定する体温センサと、
前記体温センサを保持する筐体とを有し、
前記衣類は、
当該衣類の本体部の一部に、伸縮性を具備する生地からなる被覆部が重ねられた状態で取り付けられ、
前記被覆部と、前記本体部の前記被覆部に対向する領域とで、前記デバイスを取り出し可能に収納する収納部を構成し、
前記収納部は、当該衣類が人体に着用された場合に前記体温センサが人体に対向する向きで前記デバイスを収納し、少なくとも一方向の幅が、収納された前記デバイスの当該方向の幅以下であり、かつ、前記体温センサに対向する領域に第１の窓部を有し、
前記体温センサは、前記筐体の表面から、前記収納部を構成する生地のうち前記衣類が人体に着用された場合に人体側となる生地の厚さ以上突出している。
【０００９】
上記のように構成された本発明においては、皮膚に直接触れた状態で人体に着用される衣類の本体部の一部に取り付けられた被覆部と本体部のこれに対向する領域とから構成された収納部に、皮膚の温度を測定する体温センサを有するデバイスが、体温センサが人体に対向する向きで収納されて使用される。その際、被覆部が、伸縮性を具備する生地から構成され、収納部の少なくとも一方向の幅が、収納されたデバイスの同一方向以下であることで、収納部が膨らんだ状態となって被覆部の伸縮性による復元力によってデバイスが収納部内にてしっかりとホールドされることになる。それにより、デバイスが収納部内にて移動することがなくなり、体温センサが人体の一定の箇所の皮膚の温度を測定することができるようになる。また、デバイスが収納部内にてしっかりとホールドされることで、デバイスが収納部から脱落しにくくなる。また、収納部には、体温センサに対向する領域に第１の窓部が設けられており、体温センサが、デバイスの筐体の表面から、収納部を構成する生地のうち衣類が人体に着用された場合に人体側となる生地の厚さ以上突出しているので、デバイスが収納部に収納されることで装着された衣類を着用するだけで、体温センサが皮膚に直接接触することとなり、皮膚の温度が正確に測定され、この皮膚の温度によって正確な体温を特定することができる。また、収納部が、デバイスを収納部内にてしっかりとホールドするために、少なくとも一方向の幅が、収納されたデバイスの同一方向以下であるものの、被覆部が伸縮性を具備する生地から構成されていることで、デバイスを収納部に取り出し可能に収納することができる。
【００１０】
また、第１の窓部が、デバイスを収納部に収納するための収納口を兼ねていれば、収納口の他に第１の窓部を別途設ける必要がない。
【００１１】
また、デバイスが、デバイスの外部温度を測定する外部温度センサを有するものにおいては、外部温度センサがデバイスの筐体の表面から凹んだ位置に保持されていれば、外部温度センサが衣類に接触することで生じる摩擦熱によってデバイスの外部温度が正確に測定されなくなってしまうことが回避される。
【００１２】
また、デバイスが、デバイスの外部温度を測定する外部温度センサを有するものにおいては、収納部の外部温度センサに対向する領域に第２の窓部が設けられていれば、外部温度センサが衣類に接触することで生じる摩擦熱によってデバイスの外部温度が正確に測定されなくなってしまうことが回避される。
【００１３】
人体の体温を特定するために皮膚の温度を測定する体温センサが筐体に保持されてなるデバイスを装着可能に構成され、皮膚に直接触れた状態で人体に着用される衣類であって、
当該衣類の本体部の一部に、伸縮性を具備する生地からなる被覆部が重ねられた状態で取り付けられ、
前記被覆部と、前記本体部の前記被覆部に対向する領域とで、前記デバイスを取り出し可能に収納する収納部を構成し、
前記収納部は、当該衣類が人体に着用された場合に前記体温センサが人体に対向する向きで前記デバイスを収納し、少なくとも一方向の幅が、収納された前記デバイスの当該方向の幅以下であり、かつ、前記体温センサに対向する領域に窓部を有し、
前記収納部を構成する生地のうち前記衣類が人体に着用された場合に人体側となる生地の厚さが、前記体温センサの前記筐体の表面からの高さ以下である。
【発明の効果】
【００１４】
本発明によれば、皮膚に直接触れた状態で人体に着用される衣類の本体部の一部に取り付けられた被覆部と本体部のこれに対向する領域とから構成され、皮膚の温度を測定する体温センサを有するデバイスが収納される収納部が、体温センサに対向する領域に第１の窓部を有し、体温センサが、デバイスの筐体の表面から、収納部を構成する生地のうち衣類が人体に着用された場合に人体側となる生地の厚さ以上突出している構成としたため、デバイスが収納部に収納されることで装着された衣類を着用するだけで、体温センサが皮膚に直接接触することとなり、利用者が煩雑な作業を伴うことなく体温を正確に測定することができる。
【００１５】
また、第１の窓部が、デバイスを収納部に収納するための収納口を兼ねているものにおいては、収納口の他に第１の窓部を別途設ける必要がない。
【００１６】
また、デバイスが、デバイスの外部温度を測定する外部温度センサを有するものにおいて、外部温度センサがデバイスの筐体の表面から凹んだ位置に保持されているものにおいては、外部温度センサが衣類に接触することで生じる摩擦熱によってデバイスの外部温度が正確に測定されなくなってしまうことを回避できる。
【００１７】
また、デバイスが、デバイスの外部温度を測定する外部温度センサを有するものにおいて、収納部が、外部温度センサに対向する領域に第２の窓部を有するものにおいては、外部温度センサが衣類に接触することで生じる摩擦熱によってデバイスの外部温度が正確に測定されなくなってしまうことを回避できる。
【図面の簡単な説明】
【００１８】
【図１】本発明の体温測定デバイス装着衣類の第１の実施の形態に用いられる体温測定デバイスの一例を示す図であり、（ａ），（ｂ）は外観斜視図、（ｃ）は（ａ）に示したＡ−Ａ’断面図である。
【図２】本発明の体温測定デバイス装着衣類の第１の実施の形態に用いられる衣類の一例を示す図であり、（ａ）は人体に着用される着用面とは反対側から見た図、（ｂ）は人体に着用される着用面側から見た図、（ｃ）は（ａ）に示したＡ−Ａ’断面図である。
【図３】図１に示した体温測定デバイスの図２に示した下着への装着方法及び装着状態を説明するための図であり、（ａ），（ｂ）は体温測定デバイスと収納部との大きさを比較するための図、（ｃ）は体温測定デバイスが収納部に収納されていく様子を示す図、（ｄ）は体温測定デバイスが収納部に収納された状態を示す図である。
【図４】図１に示した体温測定デバイスが図２に示した下着に装着され、その下着が人体に着用された際の作用効果を説明するための図であり、（ａ）は体温測定デバイスが下着の収納部に収納された状態を示す図、（ｂ）は下着が人体に着用された場合における（ａ）に示したＡ−Ａ’断面図、（ｃ）は下着が人体に着用された場合における（ａ）に示したＢ−Ｂ’断面図である。
【図５】本発明の体温測定デバイス装着衣類の第２の実施の形態に用いられる衣類の一例を示す図であり、（ａ）は人体に着用される着用面とは反対側から見た図、（ｂ）は人体に着用される着用面側から見た図、（ｃ）は（ａ）に示したＡ−Ａ’断面図である。
【図６】図１に示した体温測定デバイスの図５に示した下着への装着方法及び装着状態を説明するための図であり、（ａ），（ｂ）は体温測定デバイスと収納部との大きさを比較するための図、（ｃ）は体温測定デバイスが収納部に収納されていく様子を示す図、（ｄ）は体温測定デバイスが収納部に収納された状態を示す図である。
【図７】図１に示した体温測定デバイスが図５に示した下着に装着され、その下着が人体に着用された際の作用効果を説明するための図であり、（ａ）は体温測定デバイスが下着の収納部に収納された状態を示す図、（ｂ）は下着が人体に着用された場合における（ａ）に示したＡ−Ａ’断面図、（ｃ）は下着が人体に着用された場合における（ａ）に示したＢ−Ｂ’断面図である。
【図８】本発明の体温測定デバイス装着衣類の第３の実施の形態に用いられる体温測定デバイスの一例を示す図であり、（ａ），（ｂ）は外観斜視図、（ｃ）は（ａ）に示したＡ−Ａ’断面図である。
【図９】本発明の体温測定デバイス装着衣類の第３の実施の形態に用いられる衣類の一例を示す図であり、（ａ）は人体に着用される着用面とは反対側から見た図、（ｂ）は人体に着用される着用面側から見た図、（ｃ）は（ａ）に示したＡ−Ａ’断面図である。
【図１０】図８に示した体温測定デバイスが図９に示した下着に装着され、その下着が人体に着用された際の作用効果を説明するための図であり、（ａ）は体温測定デバイスが下着の収納部に収納された状態を被覆部側から見た図、（ａ）は体温測定デバイスが下着の収納部に収納された状態を本体部側から見た図、（ｃ）は下着が人体に着用された場合における（ａ）に示したＡ−Ａ’断面図、（ｄ）は下着が人体に着用された場合における（ａ）に示したＢ−Ｂ’断面図である。
【発明を実施するための形態】
【００１９】
以下に、本発明の実施の形態について図面を参照して説明する。
【００２０】
（第１の実施の形態）
図１は、本発明の体温測定デバイス装着衣類の第１の実施の形態に用いられる体温測定デバイスの一例を示す図であり、（ａ），（ｂ）は外観斜視図、（ｃ）は（ａ）に示したＡ−Ａ’断面図である。
【００２１】
本例における体温測定デバイスは図１に示すように、筐体１１内に制御基板１５が内蔵されて構成されている。
【００２２】
筐体１１は、例えば樹脂等からなる薄型のものであって、一方の面を人体側表面１１ａとし、他方の面を外部側表面１１ｂとする。
【００２３】
制御基板１５には、一方の面に、皮膚の温度を測定するための体温センサ１２が実装されているとともに、他方の面に、体温測定デバイス１０の外部温度を測定するための外部温度センサ１３が実装されている。制御基板１５は、ビス等の固定手段（不図示）によって筐体１１に取り付けられており、それにより、体温センサ１２及び外部温度センサ１３は、筐体１１に保持されている。なお、外部温度センサ１３は、体温を正確に特定するために周囲の温度を測定する。体温センサ１２にて測定された皮膚の温度と、外部温度センサ１３にて測定された体温測定デバイス１０の外部温度とを用いたフーリエ処理を実行することで、体温を正確に特定することができる。制御基板１５には、体温センサ１２及び外部温度センサ１３の他に、体温センサ１２及び外部温度センサ１３における温度の測定タイミングや、外部装置との間にて通信を制御するための処理回路や、体温センサ１２や外部温度センサ１３にて測定された温度を記憶するメモリを有するＩＣチップ等（不図示）が実装されている。体温センサ１２や外部温度センサ１３は、例えばステンレス製の円筒容器内の先端部にサーミスタ等の測温素子が固定されたもの等を用いることができる。
【００２４】
筐体１１の人体側表面１１ａ側には、体温センサ１２に対向する領域にセンサ用孔１４ａが形成されており、体温センサ１２がセンサ用孔１４ａにて表出している、体温センサ１２の先端部は人体側表面１１ａから突出している。一方、筐体１１の外部側表面１１ｂ側には、外部温度センサ１３に対向する領域にセンサ用孔１４ｂが形成されており、外部温度センサ１３がセンサ用孔１４ｂにて外部側表面１１ｂから凹んだ位置にて表出している。なお、外部温度センサ１３の外部側表面１１ｂからの凹み深さを筐体１１の厚み以下とすれば、筐体１１内に埃等の異物が侵入してくることを回避できる。
【００２５】
図２は、本発明の体温測定デバイス装着衣類の第１の実施の形態に用いられる衣類の一例を示す図であり、（ａ）は人体に着用される着用面とは反対側から見た図、（ｂ）は人体に着用される着用面側から見た図、（ｃ）は（ａ）に示したＡ−Ａ’断面図である。
【００２６】
本例における衣類は、皮膚に直接触れた状態で人体に着用される下着２０であって、図２に示すように、本体部２１の一部に、図１に示した体温測定デバイス１０を収納する収納部２２を有して構成されている。本体部２１の生地は、伸縮性を有するものであっても伸縮性を有さないものであってもよい。
【００２７】
収納部２２は、本体部２１において、その下部中央部分に設けられており、人体に着用される面に２枚の被覆部２３ａ，２３ｂが重ねられた状態で縫合によって取り付けられて構成されている。これにより、収納部２２は、被覆部２３ａ，２３ｂと、本体部２１の被覆部２３ａ，２３ｂに対向する領域とから構成されており、そのうち、被覆部２３ａ，２３ｂが、下着２０が人体に着用された場合に収納部２２の人体側となる面を構成している。２枚の被覆部２３ａ，２３ｂは、伸縮性を具備する生地からなり、一辺が互いに当接するように並んで配置され、当接している辺以外の３辺がそれぞれ本体部２１に縫合されることで本体部２１に取り付けられている。そして、当接している辺が本体部２１に縫合されていないことで、その辺間が体温測定デバイス１０を収納部２２に収納するための収納口２４となっている。なお、被覆部２３ａ，２３ｂの大きさは、図１に示した体温測定デバイス１０が収納部２２に収納された際に体温センサ１２が収納口２４に対向するようなものとなっている。例えば、体温センサ１２が体温測定デバイス１０の筐体１１の中央部にて表出している場合は、被覆部２３ａ，２３ｂは互いに同一形状を有することで、体温測定デバイス１０が収納部２２に収納された際に体温センサ１２が収納口２４に対向することになる。
【００２８】
以下に、図１に示した体温測定デバイス１０が図２に示した下着２０に装着された体温測定デバイス装着衣類について説明する。
【００２９】
まず、図１に示した体温測定デバイス１０の図２に示した下着２０への装着方法及び装着状態について説明する。
【００３０】
図３は、図１に示した体温測定デバイス１０の図２に示した下着２０への装着方法及び装着状態を説明するための図であり、（ａ），（ｂ）は体温測定デバイス１０と収納部２２との大きさを比較するための図、（ｃ）は体温測定デバイス１０が収納部２２に収納されていく様子を示す図、（ｄ）は体温測定デバイス１０が収納部２２に収納された状態を示す図である。
【００３１】
図３（ａ），（ｂ）に示すように、体温測定デバイス１０と下着２０の収納部２２とは、収納部２２の被覆部２３ａ，２３ｂが並ぶ方向の幅をＷ2とし、また、体温測定デバイス１０が収納部２２に収納された際の体温測定デバイス１０の同一方向の幅をＷ1とした場合、Ｗ2がＷ1よりも狭い関係となっている。
【００３２】
そのように構成された収納部２２に体温測定デバイス１０を収納する場合は、被覆部２３ａ，２３ｂの互いに当接する辺間が収納口２４となっていることで、図３（ｃ）に示すように、この収納口２４から体温測定デバイス１０を収納していく。この際、体温測定デバイス１０の人体側表面１１ａが被覆部２３ａ，２３ｂに当接する向きで体温測定デバイス１０を収納部２２に収納していく。
【００３３】
まず、収納部２２の収納口２４に体温測定デバイス１０をその一辺となる第１の辺側から差し込み、体温測定デバイス１０の第１の辺側の領域に被覆部２３ｂが被さるように体温測定デバイス１０を収納部２２に収納していく。その後、被覆部２３ａを捲り上げるようにして体温測定デバイス１０の第１の辺に対向する第２の辺側の領域に被覆部２３ａを被せるようにする。
【００３４】
すると、上述したように、被覆部２３ａ，２３ｂが伸縮性を有する生地から構成されているとともに、収納部２２の被覆部２３ａ，２３ｂが並ぶ方向の幅Ｗ2が、体温測定デバイス１０が収納部２２に収納された際の体温測定デバイス１０の同一方向の幅Ｗ1よりも狭いことにより、図３（ｄ）に示すように、収納口２４が開いて第１の窓部２５が構成されることになる。
【００３５】
そして、上述したように、収納口２４が、体温測定デバイス１０が収納部２２に収納された際に体温センサ１２に対向するものとなっていることから、収納部２２の体温センサ１２に対向する領域に窓部２５が設けられた構成となり、体温センサ１２が窓部２５から表出した状態となる。
【００３６】
このように、体温センサ１２が表出する窓部２５が、体温測定デバイス１０を収納部２２に収納するための収納口２４を兼ねていることで、体温測定デバイス１０が収納部２２に収納された場合に体温センサ１２を表出させる窓部２５を収納口２４とは別に設ける必要がない。
【００３７】
またこの際、被覆部２３ａ，２３ｂが、伸縮性を具備する生地から構成され、収納部２２の被覆部２３ａ，２３ｂが並ぶ方向の幅Ｗ2が、体温測定デバイス１０が収納部２２に収納された際の体温測定デバイス１０の同一方向の幅Ｗ1よりも狭いことにより、収納部２２が膨らんだ状態となって被覆部２３ａ，２３ｂの伸縮性による復元力によって体温測定デバイス１０が収納部２２内にしっかりとホールドされ、体温測定デバイス１０が収納部２２から脱落しにくくなる。また、上述したように、体温測定デバイス１０を収納部２２内にてしっかりとホールドするために、収納部２２の被覆部２３ａ，２３ｂが並ぶ方向の幅Ｗ2が、体温測定デバイス１０が収納部２２に収納された際の体温測定デバイス１０の同一方向の幅Ｗ1よりも狭いものであるものの、被覆部２３ａ，２３ｂが伸縮性を具備する生地から構成されていることで、体温測定デバイス１０を収納部２２に取り出し可能に収納することができる。なお、被覆部２３ａ，２３ｂの生地の伸縮性は、１０％以上の伸びを有するものが好ましいが、体温測定デバイス１０をしっかりとホールドできるものであればよい。
【００３８】
次に、上記のようにして体温測定デバイス１０が装着された下着２０が人体に着用された際の作用効果について説明する。
【００３９】
図４は、図１に示した体温測定デバイス１０が図２に示した下着２０に装着され、その下着２０が人体に着用された際の作用効果を説明するための図であり、（ａ）は体温測定デバイス１０が下着２０の収納部２２に収納された状態を示す図、（ｂ）は下着２０が人体に着用された場合における（ａ）に示したＡ−Ａ’断面図、（ｃ）は下着２０が人体に着用された場合における（ａ）に示したＢ−Ｂ’断面図である。
【００４０】
体温測定デバイス１０が下着２０の収納部２２に収納されると、図４（ａ）に示すように、体温センサ１２が窓部２５から表出した状態となる。
【００４１】
このようにして体温測定デバイス１０が収納部２２に収納された下着２０が人体に着用されると、収納部２２を構成する被覆部２３ａ，２３ｂが上述したように本体部２１の人体に着用される面に縫合によって取り付けられているため、図４（ｂ），（ｃ）に示すように、体温センサ１２が人体の皮膚３０に対向することとなる。すなわち、収納部２２は、下着２０が人体に着用された場合に体温センサ１２が人体に対向する向きで体温測定デバイス１０を収納することになる。その際、上述したように、被覆部２３ａ，２３ｂが、伸縮性を具備する生地から構成され、収納部２２の被覆部２３ａ，２３ｂが並ぶ方向の幅Ｗ2が、体温測定デバイス１０が収納部２２に収納された際の体温測定デバイス１０の同一方向の幅Ｗ1よりも狭いことにより、収納部２２が膨らんだ状態となり、図４（ｂ）中矢印で示すような被覆部２３ａ，２３ｂの伸縮性による復元力によって体温測定デバイス１０が収納部２２内にしっかりとホールドされることになる。それにより、体温測定デバイス１０が収納部２２内にて移動することがなくなり、体温センサ１２が皮膚３０の一定の箇所に接触し、その箇所の皮膚３０の温度が測定されることになる。また、体温センサ１２は、その先端部が筐体１１の人体側表面１１ａから突出しているが、その突出高さｈが、被覆部２３ａ，２３ｂの厚さｔ以上となっていることで、体温センサ１２が皮膚３０に直接接触することとなり、皮膚３０の温度が正確に測定されることになる。なお、被覆部２３ａ，２３ｂの厚さｔは、本体部２１の生地の厚さの半分程度とすることが考えられる。
【００４２】
このように、図１に示した体温測定デバイス１０が図２に示した下着２０に装着され、その下着２０が人体に着用されるだけで、体温測定デバイス１０に設けられた体温センサ１２が皮膚の一定の箇所に直接接触することとなり、利用者が煩雑な作業を伴うことなく、皮膚の温度が正確に測定され、この皮膚の温度と外部温度センサ１３にて測定された体温測定デバイス１０の外部温度とによって正確な体温を特定することができる。
【００４３】
また、外部温度センサ１３が下着２０に接触すると、それにより生じる摩擦熱によって体温測定デバイス１０の外部温度が正確に測定されなくなってしまう。しかしながら、本形態における体温測定デバイス１０においては、上述したように、外部温度センサ１３が筐体１１の外部側表面１１ｂから凹んだ位置にて表出しているため、図４（ｂ）に示すように、外部温度センサ１３が下着２０に接触することがなく、体温測定デバイス１０の外部温度が摩擦熱によって正確に測定されなくなってしまうことが回避される。
【００４４】
なお、本形態においては、収納部２２の被覆部２３ａ，２３ｂが並ぶ方向の幅Ｗ2が、体温測定デバイス１０が収納部２２に収納された際の体温測定デバイス１０の同一方向の幅Ｗ1よりも狭いものを例に挙げて説明したが、これらに直交する方向についても、収納部２２の幅が体温測定デバイス１０の幅よりも狭い構成であってもよい。
【００４５】
また、本形態においては、収納部２２を構成する２枚の被覆部２３ａ，２３ｂが、一辺が互いに当接するように並んで配置されているが、被覆部２３ａと被覆部２３ｂとの間に数ミリ程度の隙間を設けた構成としてもよい。ただし、上述したように、収納部２２に体温測定デバイス１０が収納された場合に被覆部２３ａと被覆部２３ｂとの間隔が広がることになるため、２枚の被覆部２３ａと被覆部２３ｂとの間の隙間が狭い方が、収納部２２に収納された体温測定デバイス１０が不用意に脱落してしまう可能性を低減できる。そのような構成においては、本体部２１のうち収納部を構成する部分は、厳密には、被覆部２３ａ，２３ｂに対向する領域のみならず、被覆部２３ａ，２３ｂ間の隙間に対向する領域も収納部を構成するものとなるが、このような形態も含めて、被覆部と、本体部の被覆部に対向する領域とで収納部を構成するものと定義する。また、２枚の被覆部２３ａと被覆部２３ｂとの間の隙間が狭い方が、収納部２２に体温測定デバイス１０が収納されることで形成される窓部２５の大きさが小さなものとなり、体温測定デバイス１０が人体に接する面積が狭くなり好ましい。さらに、収納部２２を構成する２枚の被覆部２３ａ，２３ｂそれぞれの並び方向の長さが、収納部２２に体温測定デバイス１０が収納された場合に窓部２５が構成される寸法であれば、２枚の被覆部２３ａ，２３ｂの一部が重なり合った構成としてもよい。また、被覆部２３ａ，２３ｂの生地のサイズや形状は、収納部２２に収納される体温測定デバイス１０のサイズや重さ、被覆部２３ａ，２３ｂの生地の伸縮性等に応じて適宜設計することができる。
【００４６】
（第２の実施の形態）
図５は、本発明の体温測定デバイス装着衣類の第２の実施の形態に用いられる衣類の一例を示す図であり、（ａ）は人体に着用される着用面とは反対側から見た図、（ｂ）は人体に着用される着用面側から見た図、（ｃ）は（ａ）に示したＡ−Ａ’断面図である。
【００４７】
本例における衣類は図５に示すように、図２に示したものに対して、収納部１２２の形状が異なる下着１２０である。
【００４８】
本例における収納部１２２は、本体部２１の下部中央部分において、人体に着用される面に、伸縮性を有する生地からなる４枚の被覆部１２３ａ〜１２３ｄが重ねられた状態で縫合によって取り付けられて構成されている。これにより、被覆部１２３ａ〜１２３ｄは、下着１２０が人体に着用された場合に収納部１２２の人体側となる面を構成している。４枚の被覆部１２３ａ〜１２３ｄは、第１の窓部１２５を取り囲んで「ロ」の字を構成するように配置され、「ロ」の字の外周辺のうち被覆部１２３ａ側の一辺を除く３辺がそれぞれ本体部２１に縫合されることで本体部２１に取り付けられている。そして、被覆部１２３ａ側の一辺が本体部２１に縫合されていないことで、その辺に沿う領域が、図１に示した体温測定デバイス１０を収納部１２２に収納するための収納口１２４となっている。本形態においては、本体部２１のうち収納部を構成する部分は、厳密には、被覆部１２３ａ〜１２３ｄに対向する領域のみならず、被覆部１２３ａ〜１２３ｄに囲まれた窓部１２５に対向する領域も収納部を構成するものとなるが、このような形態も含めて、被覆部と、本体部の被覆部に対向する領域とで収納部を構成するものと定義する。なお、被覆部１２３ａ〜１２３ｄの大きさは、体温測定デバイス１０が収納部１２２に収納された際に体温センサ１２が窓部１２５に対向するようなものとなっている。例えば、体温センサ１２が体温測定デバイス１０の筐体１１の中央部にて表出している場合は、被覆部１２３ａ〜１２３ｄは互いに同一形状を有することで窓部１２５が収納部１２２の中央部に配置され、体温測定デバイス１０が収納部１２２に収納された際に体温センサ１２が窓部１２５に対向することになる。
【００４９】
以下に、図１に示した体温測定デバイス１０が図５に示した下着１２０に装着された体温測定デバイス装着衣類について説明する。
【００５０】
まず、図１に示した体温測定デバイス１０の図５に示した下着１２０への装着方法及び装着状態について説明する。
【００５１】
図６は、図１に示した体温測定デバイス１０の図５に示した下着１２０への装着方法及び装着状態を説明するための図であり、（ａ），（ｂ）は体温測定デバイス１０と収納部１２２との大きさを比較するための図、（ｃ）は体温測定デバイス１０が収納部１２２に収納されていく様子を示す図、（ｄ）は体温測定デバイス１０が収納部１２２に収納された状態を示す図である。
【００５２】
図６（ａ），（ｂ）に示すように、体温測定デバイス１０と下着１２０の収納部１２２とは、体温測定デバイス１０の縦横の幅をそれぞれＷ1，Ｗ3とし、また、体温測定デバイス１０が収納部１２２に収納された際の収納部１２２の同一方向の幅をＷ2，Ｗ4とした場合、Ｗ2がＷ1よりも狭く、かつ、Ｗ4がＷ3よりも狭い関係となっている。すなわち、収納部１２２の縦横方向それぞれの幅が、体温測定デバイス１０の縦横方向それぞれの幅よりも狭くなっている。
【００５３】
そのように構成された収納部１２２に体温測定デバイス１０を収納する場合は、収納部１２２の被覆部１２３ａ側の一辺が収納口１２４となっていることで、図６（ｃ）に示すように、この収納口１２４から体温測定デバイス１０を収納していく。この際、体温測定デバイス１０の人体側表面１１ａが被覆部１２３ａ〜１２３ｄに当接する向きで体温測定デバイス１０を収納部１２２に収納していく。
【００５４】
そして、上述したように、被覆部１２３ａ〜１２３ｄの大きさが、図１に示した体温測定デバイス１０が収納部１２２に収納された際に体温センサ１２が窓部１２５に対向するようなものとなっていることから、体温測定デバイス１０が収納部１２２に収納されると、図６（ｃ）に示すように、体温センサ１２が窓部１２５に対向して窓部１２５から表出した状態となる。
【００５５】
またこの際、被覆部１２３ａ〜１２３ｄが、伸縮性を具備する生地から構成され、体温測定デバイス１０の縦横の幅Ｗ1，Ｗ3よりも、体温測定デバイス１０が収納部１２２に収納された際の収納部１２２の同一方向の幅をＷ2，Ｗ4がそれぞれ狭いことにより、収納部１２２が膨らんだ状態となって被覆部１２３ａ〜１２３ｄの伸縮性による復元力によって体温測定デバイス１０が収納部１２２内にしっかりとホールドされる。それにより、収納部１２２の被覆部１２３ａ側の一辺が収納口１２４となっているものの、この収納口１２４から体温測定デバイス１０が脱落しにくくなる。また、上述したように、体温測定デバイス１０を収納部１２２内にてしっかりとホールドするために、体温測定デバイス１０の縦横の幅Ｗ1，Ｗ3よりも、体温測定デバイス１０が収納部１２２に収納された際の収納部１２２の同一方向の幅Ｗ2，Ｗ4がそれぞれ狭いものであるものの、被覆部１２３ａ〜１２３ｄが伸縮性を具備する生地から構成されていることで、体温測定デバイス１０を収納部１２２に取り出し可能に収納することができる。
【００５６】
次に、上記のようにして体温測定デバイス１０が装着された下着１２０が人体に着用された際の作用効果について説明する。
【００５７】
図７は、図１に示した体温測定デバイス１０が図５に示した下着１２０に装着され、その下着１２０が人体に着用された際の作用効果を説明するための図であり、（ａ）は体温測定デバイス１０が下着１２０の収納部１２２に収納された状態を示す図、（ｂ）は下着１２０が人体に着用された場合における（ａ）に示したＡ−Ａ’断面図、（ｃ）は下着１２０が人体に着用された場合における（ａ）に示したＢ−Ｂ’断面図である。
【００５８】
体温測定デバイス１０が下着１２０の収納部１２２に収納されると、図７（ａ）に示すように、体温センサ１２が窓部１２５から表出した状態となる。
【００５９】
このようにして体温測定デバイス１０が収納部１２２に収納された下着１２０が人体に着用されると、収納部１２２を構成する被覆部１２３ａ〜１２３ｄが本体部２１の人体に着用される面に縫合によって取り付けられているため、図７（ｂ），（ｃ）に示すように、体温センサ１２が人体の皮膚３０に対向することとなる。すなわち、収納部１２２は、下着１２０が人体に着用された場合に体温センサ１２が人体に対向する向きで体温測定デバイス１０を収納することになる。その際、上述したように、被覆部１２３ａ〜１２３ｄが、伸縮性を具備する生地から構成され、体温測定デバイス１０の縦横の幅Ｗ1，Ｗ3よりも、体温測定デバイス１０が収納部１２２に収納された際の収納部１２２の同一方向の幅Ｗ2，Ｗ4がそれぞれ狭いことにより、収納部１２２が膨らんだ状態となり、図７（ｂ），（ｃ）中矢印で示すような被覆部１２３ａ〜１２３ｄの伸縮性による復元力によって体温測定デバイス１０が収納部１２２内にしっかりとホールドされることになる。それにより、体温測定デバイス１０が収納部１２２内にて移動することがなくなり、体温センサ１２が皮膚３０の一定の箇所に接触し、その箇所の皮膚３０の温度が測定されることになる。また、体温センサ１２は、その先端部が筐体１１の人体側表面１１ａから突出しているが、その突出高さｈが、被覆部１２３ａ〜１２３ｄの厚さｔ以上となっていることで、体温センサ１２が皮膚３０に直接接触することとなり、皮膚３０の温度が正確に測定されることになる。
【００６０】
このように、図１に示した体温測定デバイス１０が図５に示した下着１２０に装着され、その下着１２０が人体に着用されるだけで、体温測定デバイス１０に設けられた体温センサ１２が皮膚の一定の箇所に直接接触することとなり、利用者が煩雑な作業を伴うことなく、皮膚の温度が正確に測定され、この皮膚の温度と外部温度センサ１３にて測定された体温測定デバイス１０の外部温度とによって正確な体温を特定することができる。
【００６１】
また、本形態においても、外部温度センサ１３が筐体１１の外部側表面１１ｂから凹んだ位置にて表出しているため、図７（ｂ）に示すように、外部温度センサ１３が下着１２０の本体部２１に接触することがなく、体温測定デバイス１０の外部温度を正確に測定することができる。
【００６２】
また、本形態においては、収納部１２２の縦横方向それぞれの幅が、体温測定デバイス１０の縦横方向それぞれの幅よりも狭くなっていることで、第１の実施の形態に示したものに対して、体温測定デバイス１０がその被覆部１２３ａ〜１２３ｄによって縦横方向それぞれに収納部１２２内にしっかりとホールドされ、それにより、体温測定デバイス１０の収納部１２２内における縦横方向の移動が確実に回避される。このように、収納部１２２が矩形の場合は、対向する各辺間の幅が体温測定デバイスの幅よりも狭いことが好ましい。さらには、対向する各辺間による２方向のみならず、全方向における幅が、収納部よりも体温測定デバイスの方が狭ければ、体温測定デバイスの収納部内におけるあらゆる方向の移動が確実に回避されることになる。
【００６３】
なお、本形態における収納部１２２においては、４枚の被覆部１２３ａ〜１２３ｄが、窓部１２５を取り囲んで「ロ」の字を構成するように配置されているが、複数枚の被覆部が、窓部が「○」や「☆」形状となるように窓部を取り囲んで配置されたものであってもよい。また、収納口１２４を覆う蓋部を有する構成とすることも考えられ、その場合、収納口１２４から体温測定デバイス１０がさらに脱落しにくくなる。そのような構成においては、収納部の外形を「○」や「☆」形状とすることも考えられるが、その場合においても、収納部の互いに直交する２方向の幅が、体温測定デバイスの同方向の幅よりも狭いことで、体温測定デバイスの収納部内における縦横方向の移動が確実に回避されることになり、さらには、全方向の幅が、収納部よりも体温測定デバイスの方が狭いことで、体温測定デバイスの収納部内におけるあらゆる方向の移動が確実に回避されることになる。その場合、体温測定デバイスの収納部内における移動を確実に回避するという観点からすると、体温測定デバイスの形状を収納部の形状に合わせて「○」や「☆」形状とすることが好ましい。
【００６４】
（第３の実施の形態）
図８は、本発明の体温測定デバイス装着衣類の第３の実施の形態に用いられる体温測定デバイスの一例を示す図であり、（ａ），（ｂ）は外観斜視図、（ｃ）は（ａ）に示したＡ−Ａ’断面図である。
【００６５】
本例における体温測定デバイスは図８に示すように、図１に示したものに対して、外部温度センサ２１３の構成が異なる体温測定デバイス２１０である。
【００６６】
本例における外部温度センサ２１３は、その先端が筐体１１の外部側表面１１ｂの同一平面上に存在するものとなっている。
【００６７】
図９は、本発明の体温測定デバイス装着衣類の第３の実施の形態に用いられる衣類の一例を示す図であり、（ａ）は人体に着用される着用面とは反対側から見た図、（ｂ）は人体に着用される着用面側から見た図、（ｃ）は（ａ）に示したＡ−Ａ’断面図である。
【００６８】
本例における衣類は図９に示すように、図２に示したものに対して収納部２２２の構成が異なる下着２２０である。
【００６９】
本例における収納部２２２は、図２に示した収納部２２の構成に加えて、下着２２０が人体に着用される着用面とは反対側の面に第２の窓部２２６が設けられている。この窓部２２６は、図８に示した体温測定デバイス２１０が収納部２２２に収納された場合に外部温度センサ２１３に対向する領域に設けられている。また、収納部２２２の被覆部２３ａ，２３ｂが並ぶ方向の幅が、体温測定デバイス２１０が収納部２２２に収納された際の体温測定デバイス１０の同一方向の幅と同等となっている。本発明においては、第１の実施の形態や第２の実施の形態に示したもののように、収納部の少なくとも一方向の幅が、体温測定デバイスが収納部に収納された際の体温測定デバイスの同一方向の幅よりも狭い場合でも、本形態のように、収納部の少なくとも一方向の幅が、体温測定デバイスが収納部に収納された際の体温測定デバイスの同一方向の幅と同等であってもよく、すなわち、収納部の少なくとも一方向の幅が、体温測定デバイスが収納部に収納された際の体温測定デバイスの同一方向の幅以下であればよい。
【００７０】
以下に、図８に示した体温測定デバイス２１０が図９に示した下着２２０に装着された体温測定デバイス装着衣類について説明する。
【００７１】
図８に示した体温測定デバイス２１０は、第１の実施の形態に示したものと同様にして、図９に示した下着２２０の収納部２２２に収納されることで下着２２０に装着されることになる。
【００７２】
図１０は、図８に示した体温測定デバイス２１０が図９に示した下着２２０に装着され、その下着２２０が人体に着用された際の作用効果を説明するための図であり、（ａ）は体温測定デバイス２１０が下着２２０の収納部２２２に収納された状態を下着２２０が人体に着用される着用面側から見た図、（ｂ）は体温測定デバイス２１０が下着２２０の収納部２２２に収納された状態を下着２２０が人体に着用される着用面とは反対側から見た図、（ｃ）は下着２２０が人体に着用された場合における（ａ）に示したＡ−Ａ’断面図、（ｄ）は下着２２０が人体に着用された場合における（ａ）に示したＢ−Ｂ’断面図である。
【００７３】
体温測定デバイス２１０が下着２２０の収納部２２２に収納されると、第１の実施の形態にて示したものと同様に、図１０（ａ）に示すように、体温センサ１２が窓部２５から表出した状態となる。また、下着２２０の収納部２２２に設けられた窓部２２６が、体温測定デバイス２１０が収納部２２２に収納された場合に外部温度センサ２１３に対向する領域に設けられていることにより、体温測定デバイス２１０が下着２２０の収納部２２２に収納されると、図１０（ｂ）に示すように、外部温度センサ２１３が窓部２２６から表出した状態となる。
【００７４】
このようにして体温測定デバイス２１０が収納部２２２に収納された下着２２０が人体に着用されると、収納部２２２を構成する被覆部２３ａ，２３ｂが本体部２１の人体に着用される面に縫合によって取り付けられているため、図１０（ｃ），（ｄ）に示すように、体温センサ１２が人体の皮膚３０に対向することとなる。その際、被覆部２３ａ，２３ｂが、伸縮性を具備する生地から構成され、収納部２２２の被覆部２３ａ，２３ｂが並ぶ方向の幅が、体温測定デバイス２１０が収納部２２２に収納された際の体温測定デバイス２１０の同一方向の幅と同等となっていることにより、体温測定デバイス２１０の厚さ分だけ収納部２２２が膨らんだ状態となり、図１０（ｃ）中矢印で示すような被覆部２３ａ，２３ｂの伸縮性による復元力によって体温測定デバイス２１０が収納部２２２内にしっかりとホールドされることになる。それにより、体温測定デバイス２１０が収納部２２２内にて移動することがなくなり、体温センサ１２が皮膚３０の一定の箇所に接触し、その箇所の皮膚３０の温度が測定されることになる。また、体温センサ１２は、その先端部が筐体１１の人体側表面１１ａから突出しているが、その突出高さｈが、被覆部２３ａ，２３ｂの厚さｔ以上となっていることで、体温センサ１２が皮膚３０に直接接触することとなり、皮膚３０の温度が正確に測定されることになる。また、上述したように、体温測定デバイス２１０を収納部２２２内にてしっかりとホールドするために、収納部２２２の被覆部２３ａ，２３ｂが並ぶ方向の幅が、体温測定デバイス２１０が収納部２２２に収納された際の体温測定デバイス２１０の同一方向の幅と同等になっているものの、被覆部２３ａ，２３ｂが伸縮性を具備する生地から構成されていることで、体温測定デバイス２１０を収納部２２２に取り出し可能に収納することができる。
【００７５】
このように、図８に示した体温測定デバイス２１０が図９に示した下着２２０に装着され、その下着２２０が人体に着用されるだけで、体温測定デバイス２１０に設けられた体温センサ１２が皮膚の一定の箇所に直接接触することとなり、利用者が煩雑な作業を伴うことなく、皮膚の温度が正確に測定され、この皮膚の温度と外部温度センサ２１３にて測定された体温測定デバイス２１０の外部温度とによって正確な体温を特定することができる。
【００７６】
また、外部温度センサ２１３が下着２２０の窓部２２６に対向しているため、図１０（ｃ）に示すように、外部温度センサ２１３が下着２２０の本体部２１に接触することがなく、体温測定デバイス２１０の外部温度が摩擦熱によって正確に測定されなくなってしまうことが回避される。
【００７７】
なお、上述した実施の形態においては、収納部２２，１２２，２２２が本体部２１の下部中央部分に設けられているが、収納部が設けられる領域はこれに限らない。
【００７８】
また、上述した実施の形態においては、下着の人体に着用される面に被覆部が取り付けられることで収納部が構成されているが、下着の人体に着用される面とは反対側の面に被覆部が取り付けられることで収納部が構成されていてもよい。その場合、被覆部に対向する領域に、体温測定デバイスを収納部に収納する収納口を設けたり、切り込みを設けたりすることで、体温測定デバイスが収納部に収納された場合に、人体に対向する面に窓部が形成されるようにすることになる。そのような構成においては、被覆部側に収納口を設ければ、下着を装着した状態で体温測定デバイスを容易に収納部に収納することができるという利点も生じる。なお、その場合においても、収納部を構成する生地のうち衣類が人体に着用された場合に人体側となる生地の厚さを、体温センサの筐体の表面からの高さ以下とする必要があるため、体温センサの筐体の表面からの高さを、本体部のうち少なくとも被覆部に対向する部分の生地の厚さ以上とする必要がある。本体部は一定の強度を有する必要があるため、本体部全体の生地を極端に薄くすることは好ましくはない。そのため、体温センサの筐体の表面からの高さを上述した実施の形態にて示したものよりも高くすることが考えられる。あるいは、体温測定デバイスを、収納部が、下着の人体に着用される面に被覆部が取り付けられることで構成されているものと、下着の人体に着用される面とは反対側の面に被覆部が取り付けられることで構成されるものとで共通に使用可能とするために体温センサの筐体表面からの高さを変えることができなければ、例えば、本体部のうち被覆部に対向する部分の生地の厚さを薄くすること等が考えられる。
【符号の説明】
【００７９】
１０，２１０    体温測定デバイス
１１    筐体
１１ａ    人体側表面
１１ｂ    外部側表面
１２    体温センサ
１３，２１３    外部温度センサ
１４ａ，１４ｂ    センサ用孔
１５    制御基板
２０，１２０，２２０    下着
２１    本体部
２２，１２２，２２２    収納部
２３ａ，２３ｂ，１２３ａ〜１２３ｄ    被覆部
２４，１２４    収納口
２５，１２５，２２６    窓部
３０    皮膚
【図１】
2019217098.tif 000003
【図２】
2019217098.tif 000004
【図３】
2019217098.tif 000005
【図４】
2019217098.tif 000006
【図５】
2019217098.tif 000007
【図６】
2019217098.tif 000008
【図７】
2019217098.tif 000009
【図８】
2019217098.tif 000010
【図９】
2019217098.tif 000011
【図１０】
2019217098.tif 000012